(57)【要約】【課題】  特殊なセンサを用いずに、簡単な構造で誤動作を確実に防ぐことができるスイッチ装置およびそれを備えた腕時計を提供する。【解決手段】  腕時計ケース１に設けられてスイッチ操作によってスイッチ動作する第１押釦７と、腕時計ケース１に設けられてスイッチ操作によってスイッチ動作すると共に、外部環境による圧力が加わった際に、第１押釦７よりも早くスイッチ動作する第２押釦８と、を備えている。従って、外部環境による圧力が加わった際に、第２押釦８を第１押釦７よりも早くスイッチ動作させることができるので、この第２押釦８のスイッチ動作によって複数の第１押釦７がスイッチ動作しても、第１押釦７によるスイッチ機能を動作させないようにすることができる。【選択図】        図１
2015053176.tif 000002
【特許請求の範囲】
【請求項１】
機器ケースに設けられてスイッチ操作によってスイッチ動作する第１押釦と、
前記機器ケースに設けられてスイッチ操作によってスイッチ動作すると共に、外部環境による圧力が加わった際に、前記第１押釦よりも早くスイッチ動作する第２押釦と、
を備えていることを特徴とするスイッチ装置。
【請求項２】
請求項１に記載のスイッチ装置において、前記第１押釦は、機器機能の設定および実行するためのスイッチであり、前記第２押釦は、スイッチ操作によって照明部を予め定められた時間だけ点灯させると共に、押され続けている間、前記機器機能を動作させないスイッチであることを特徴とするスイッチ装置。
【請求項３】
請求項１または請求項２に記載のスイッチ装置において、前記第１押釦は、前記機器ケースに設けられた貫通孔の小径孔部に防水リングを介してスライド可能に挿入する軸部と、この軸部に設けられて前記貫通孔の大径孔部にスライド可能に配置され、かつ前記機器ケースの外部に露出する頭部とを有しており、
前記第２押釦は、前記機器ケースに設けられた貫通孔の小径孔部に第１防水リングを介してスライド可能に挿入する軸部と、この軸部に設けられて前記貫通孔の大径孔部に第２防水リングを介してスライド可能に配置され、かつ前記機器ケースの外部に露出する頭部とを有していることを特徴とするスイッチ装置。
【請求項４】
請求項３に記載のスイッチ装置において、前記第１押釦は、前記頭部を前記機器ケースの外部に向けて付勢する第１付勢部材を備えており、前記第２押釦は、前記頭部を前記機器ケースの外部に向けて付勢する第２付勢部材を備えていることを特徴とするスイッチ装置。
【請求項５】
請求項４に記載のスイッチ装置において、前記第２押釦の前記第２付勢部材は、その付勢力が前記第１押釦の前記各第１付勢部材の各付勢力よりも弱く設定されていることを特徴とするスイッチ装置。
【請求項６】
請求項３〜請求項５のいずれかに記載のスイッチ装置において、前記第２押釦の前記頭部は、その表面積が前記第１押釦における前記各頭部の各表面積よりも大きく形成されていることを特徴とするスイッチ装置。
【請求項７】
請求項３〜請求項６のいずれかに記載のスイッチ装置において、前記第２押釦は、その操作ストロークが前記第１押釦の各操作ストロークよりも短く設定されていることを特徴とするスイッチ装置。
【請求項８】
請求項１〜請求項７のいずれかに記載されたスイッチ装置を備えていることを特徴とする腕時計。
【発明の詳細な説明】
【技術分野】
【０００１】
この発明は、腕時計や携帯電話機、携帯端末機などの電子機器に用いられるスイッチ装置およびそれを備えた腕時計に関する。
【背景技術】
【０００２】
例えば、携帯端末機などの電子機器においては、特許文献１に記載されているように、キー入力部に対してキーを自動的にロックして、キーによる誤動作を防ぐように構成されたものが知られている。
【先行技術文献】
【特許文献】
【０００３】
【特許文献１】特開２０１２−３９２５４号公報
【０００４】
このような電子機器は、キー入力部に対してキーを自動的にロックしたり、またそのロックを解除したりするために、光量を検出する光センサを用い、この光センサで検出した光量に応じてキー制御部がキー入力部に対するキーロックまたはそのロック解除をするように構成されている。
【発明の概要】
【発明が解決しようとする課題】
【０００５】
しかしながら、このような電子機器では、キー入力部に対するキーロックまたはそのロック解除をするために、光量を検出する光センサなどの特殊なセンサを用いて、機器の外部環境を検出する必要がある。このため、この電子機器では、部品点数が増大するばかりか、制御回路が複雑になり、製品コストが高くなるなどの問題がある。
【０００６】
この発明が解決しようとする課題は、特殊なセンサを用いずに、簡単な構造で誤動作を確実に防ぐことができるスイッチ装置およびそれを備えた腕時計を提供することである。
【課題を解決するための手段】
【０００７】
この発明は、機器ケースに設けられてスイッチ操作によってスイッチ動作する第１押釦と、前記機器ケースに設けられてスイッチ操作によってスイッチ動作すると共に、外部環境による圧力が加わった際に、前記第１押釦よりも早くスイッチ動作する第２押釦と、を備えていることを特徴とするスイッチ装置である。
【発明の効果】
【０００８】
この発明によれば、外部環境による圧力が加わった際に、第２押釦を第１押釦よりも早くスイッチ動作させることができるので、この第２押釦のスイッチ動作によって第１押釦がスイッチ動作しても、第１押釦によるスイッチ機能を動作させないようにすることができる。このため、圧力センサや気圧センサなどの特殊なセンサを用いずに、簡単な構造で、誤動作を確実に防ぐことができる。
【図面の簡単な説明】
【０００９】
【図１】この発明を腕時計に適用した一実施形態を示した拡大正面図である。
【図２】図１に示された腕時計のＡ−Ａ矢視における第１押釦の断面を示し、（ａ）はその第１押釦が押圧操作されていない状態を示した要部の拡大断面図、（ｂ）は第１押釦が押圧操作された状態を示した要部の拡大断面図である。
【図３】図１に示された腕時計のＢ−Ｂ矢視における第２押釦の断面を示し、（ａ）はその第２押釦が押圧操作されていない状態を示した要部の拡大断面図、（ｂ）は第２押釦が押圧操作された状態を示した要部の拡大断面図である。
【発明を実施するための形態】
【００１０】
以下、図１〜図３を参照して、この発明を腕時計に適用した一実施形態について説明する。
この腕時計は、図１〜図３に示すように、腕時計ケース１を備えている。この腕時計ケース１は、合成樹脂からなり、この合成樹脂中に金属製の補強部材２が埋め込まれた構成になっている。
【００１１】
この腕時計ケース１の上部開口部には、図１〜図３に示すように、時計ガラス３がパッキン３ａを介して取り付けられている。この腕時計ケース１の下部には、裏蓋４が防水リング４ａを介して取り付けられている。また、この腕時計ケース１の内部には、時計モジュール５が設けられている。この時計モジュール５は、時計に必要な各種の部品（図示せず）を備えている。
【００１２】
この腕時計ケース１の側部には、図１に示すように、スイッチ装置６が設けられている。このスイッチ装置６は、複数の第１押釦７と１つの第２押釦８とを備えている。複数の第１押釦７は、モード切替、時刻修正、アラーム設定などの時計機能の設定および実行するためのスイッチであり、腕時計ケース１の２時側、８時側、１０時側に位置する各側部にそれぞれ設けられている。
【００１３】
第２押釦８は、図１に示すように、発光ダイオード（ＬＥＤ）などの照明部（図示せず）を予め設定された時間、例えば数秒間だけ点灯させるためのスイッチであり、腕時計ケース１の４時側に位置する側部のみに設けられている。すなわち、この第２押釦８は、時計モジュール５の機能に影響を及ぼすことのないスイッチである。
【００１４】
この場合、腕時計ケース１の側部には、図１〜図３に示すように、複数の釦取付部１０がそれぞれ外部に向けて突出して設けられている。これら複数の釦取付部１０に位置する腕時計ケース１の側部には、図２および図３に示すように、複数の貫通孔１１が腕時計ケース１の内部と外部とに貫通して設けられている。
【００１５】
この貫通孔１１は、図２および図３に示すように、腕時計ケース１の側部に位置する小径孔部１１ａと、腕時計ケース１から外部に突出した釦取付部１０に位置する大径孔部１１ｂまたは１１ｃとを有している。また、この貫通孔１１は、小径孔部１１ａと大径孔部１１ｂまたは１１ｃとの境界部に段差部１１ｄが設けられている。これにより、複数の貫通孔１１は、それぞれ複数の第１押釦７および１つの第２押釦８が取り付けられるように構成されている。
【００１６】
第１押釦７は、図２（ａ）および図２（ｂ）に示すように、腕時計ケース１に設けられた貫通孔１１の小径孔部１１ａに挿入する軸部１２と、この軸部１２の外端部に設けられて貫通孔１１の大径孔部１１ｂ内に配置され、かつ腕時計ケース１の外部に露出する頭部１３とを有している。
【００１７】
この場合、第１押釦７の軸部１２は、図２（ａ）および図２（ｂ）に示すように、その長さが小径孔部１１ａよりも長く形成され、その内端部が腕時計ケース１内に突出し、外端部が貫通孔１１の大径孔部１１ｂ内に突出するように構成されている。この軸部１２の内端部には、Ｅリングなどの抜止め部材１４が取り付けられている。この抜止め部材１４は、腕時計ケース１の内面に接離可能に当接することにより、第１押釦７が腕時計ケース１の外部に抜け出さないように構成されている。
【００１８】
また、この軸部１２における小径孔部１１ａ内に位置する外周面には、図２（ａ）および図２（ｂ）に示すように、複数の装着溝１２ａが環状に設けられている。これら複数の装着溝１２ａ内には、軸部１２の外周面と小径孔部１１ａの内周面との間の防水を図るための防水リング１５がそれぞれ装着されている。すなわち、これら防水リング１５は、ゴムなどの弾性材料からなり、それぞれ装着溝１２ａ内に配置された状態で、防水リング１５の外周部が小径孔部１１ａの内周面に圧接して摺動するように構成されている。
【００１９】
一方、第１押釦７の頭部１３は、図２（ａ）および図２（ｂ）に示すように、その外径Ｒ１が軸部１２の外径よりも十分に大きく、かつ腕時計ケース１の貫通孔１１における大径孔部１１ｂの内径よりも少し小さく形成されている。この頭部１３は、その軸方向の長さが大径孔部１１ｂの軸方向の長さとほぼ同じ長さに形成されている。また、この頭部１３の内端面における中心部は、軸部１２が一体に形成されており、この頭部１３の内端面には、座ぐり部１３ａが軸部１２の外周に沿って環状に形成されている。
【００２０】
この頭部１３と貫通孔１１の段差部１１ｄとの間には、図２（ａ）および図２（ｂ）に示すように、頭部１３を腕時計ケース１の外部に向けて押し出す方向に付勢する第１ばね部材１６が配置されている。この第１ばね部材１６は、コイルばねであり、軸部１２の外周に沿って配置され、この状態で内端部が貫通孔１１の段差部１１ｄに弾接し、外端部が頭部１３の座ぐり部１３ａ内に挿入されて座ぐり部１３ａの底部に弾接するように構成されている。
【００２１】
これにより、第１押釦７は、図２（ａ）に示すように、通常状態のときに、第１ばね部材１６のばね力によって頭部１３が腕時計ケース１の外部に向けて押し出され、この押し出された頭部１３の外端部が貫通孔１１の大径孔部１１ｂから釦取付部１０の外部に突出するように構成されている。
【００２２】
また、この第１押釦７は、図２（ａ）に示すように、通常状態のときに、第１ばね部材１６のばね力によって頭部１３が腕時計ケース１の外部に向けて押し出されることにより、軸部１２の内端部が腕時計ケース１内の時計モジュール５に設けられた接点板５ａから離れ、軸部１２の内端部に取り付けられた抜止め部材１４が腕時計ケース１の内面に当接し、この状態で軸部１２が初期位置に規制されるように構成されている。
【００２３】
さらに、この第１押釦７は、図２（ｂ）に示すように、頭部１３が第１ばね部材１６のばね力に抗して押されると、第１ばね部材１６が圧縮されて頭部１３の座ぐり部１３ａ内に収納されながら、頭部１３が貫通孔１１の大径孔部１１ｂ内に押し込まれるように構成されている。
【００２４】
また、この第１押釦７は、図２（ｂ）に示すように、頭部１３が第１ばね部材１６のばね力に抗して押された際に、複数の防水リング１５が貫通孔１１の小径孔部１１ａの内周面に圧接して摺動しながら、軸部１２が小径孔部１１ａ内をスライドし、この軸部１２の内端部が時計モジュール５の接点板５ａを押圧してメーク（スイッチ動作）させるように構成されている。
【００２５】
ところで、第２押釦８は、第１押釦７と同様、腕時計ケース１に設けられた貫通孔１１の小径孔部１１ａに挿入する軸部１７と、この軸部１２の外端部に設けられて貫通孔１１の大径孔部１１ｃ内に配置され、かつ腕時計ケース１の外部に露出する頭部１８とを有している。この第２押釦８は、図３（ａ）および図３（ｂ）に示すように、軸部１７の外周面に複数の第１防水リング２０が設けられ、頭部１８の外周面に第２防水リング２１が設けられた構成になっている。
【００２６】
すなわち、この第２押釦８の軸部１７は、図３（ａ）および図３（ｂ）に示すように、その長さが小径孔部１１ａよりも長く形成され、その内端部が腕時計ケース１内に突出し、外端部が貫通孔１１の大径孔部１１ｃ内に突出するように構成されている。この軸部１７の内端部にも、第１押釦７と同様、Ｅリングなどの抜止め部材１４が取り付けられている。
【００２７】
また、この軸部１７における小径孔部１１ａ内に位置する外周面には、図３（ａ）および図３（ｂ）に示すように、複数の装着溝１７ａが環状に設けられている。これら複数の装着溝１７ａ内には、軸部１７の外周面と小径孔部１１ａの内周面との間の防水を図るための第１防水リング２０がそれぞれ装着されている。この第１防水リング２０も、第１押釦７の防水リング１５と同様、その外周部が小径孔部１１ａの内周面に圧接して摺動するように構成されている。
【００２８】
一方、第２押釦８の頭部１８は、図３（ａ）および図３（ｂ）に示すように、その外径Ｒ２が第１押釦７の頭部１３の外径Ｒ１よりも大きく形成されている。これにより、腕時計ケース１の貫通孔１１における大径孔部１１ｃは、その内径が第１押釦７の大径孔部１１ｂの内径よりも大きく形成されている。これにより、第２押釦８の頭部１８は、その表面積が第１押釦７の頭部１３の表面積よりも大きく形成されている。
【００２９】
また、この頭部１８は、第１押釦７の頭部１３と同様、その軸方向の長さが大径孔部１１ｃの軸方向の長さとほぼ同じ長さに形成されている。さらに、この頭部１８の内端面における中心部は、軸部１７が一体に形成されており、この頭部１８の内端面には、座ぐり部１８ａが軸部１７の外周に沿って環状に形成されている。
【００３０】
この頭部１８と貫通孔１１の段差部１１ｄとの間には、図３（ａ）および図３（ｂ）に示すように、頭部１８を腕時計ケース１の外部に向けて押し出す方向に付勢する第２ばね部材２２が配置されている。この第２ばね部材２２は、そのばね力が第１押釦７の第１ばね部材１６のばね力よりも弱く設定されている。また、この第２ばね部材２２も、軸部１７の外周に沿って配置された状態で、その内端部が貫通孔１１の段差部１１ｄに弾接し、外端部が頭部１８の座ぐり部１８ａ内に挿入されて座ぐり部１８ａの底部に弾接するように構成されている。
【００３１】
また、この頭部１８における大径孔部１１ｃ内に位置する外周面には、図３（ａ）および図３（ｂ）に示すように、装着溝１８ｂが環状に設けられている。この装着溝１８ｂ内には、頭部１８の外周面と大径孔部１１ｃの内周面との間の防水を図るための第２防水リング２１が装着されている。この第２防水リング２１は、第１防水リング２０と同様、その外周部が大径孔部１１ｃの内周面に圧接して摺動するように構成されている。
【００３２】
これにより、第２押釦８は、図３（ａ）および図３（ｂ）に示すように、頭部１８の外周面と大径孔部１１ｂの内周面との間が第２防水リング２１によって密閉されていることにより、大径孔部１１ｃの内部における頭部１８の内端面と貫通孔１１の段差部１１ｄとの間に気密空間２３が形成されるように構成されている。
【００３３】
このため、この第２押釦８は、図３（ａ）に示すように、通常状態のときに、第１押釦７と同様、第２ばね部材２２のばね力によって頭部１８が腕時計ケース１の外部に向けて押し出され、頭部１８の外端部が貫通孔１１の大径孔部１１ｃから釦取付部１０の外部に突出し、この状態で大径孔部１１ｃの内部における頭部１８の内端面と貫通孔１１の段差部１１ｄとの間に気密空間２３が形成されるように構成されている。
【００３４】
また、この第２押釦８は、図３（ａ）および図３（ｂ）に示すように、その操作ストロークＳ２が第１押釦７の操作ストロークＳ１よりも短く形成されている。これにより、第２押釦８は、軸部１７の内端部が腕時計ケース１内の時計モジュール５に設けられた接点板５ｂから第１押釦７の場合よりも短い距離で離れ、メークされないスイッチオフ状態となり、軸部１７の内端部に取り付けられた抜止め部材１４が腕時計ケース１の内面に当接した状態で軸部１７が初期位置に規制されるように構成されている。
【００３５】
さらに、この第２押釦８は、図３（ｂ）に示すように、頭部１８が第２ばね部材２２のばね力に抗して押されて、第２ばね部材２２が圧縮されて頭部１８の座ぐり部１８ａ内に収納されながら、頭部１８が貫通孔１１の大径孔部１１ｃ内に挿入される際に、第２防水リング２１が貫通孔１１の大径孔部１１ｃの内周面に圧接して摺動することにより、大径孔部１１ｃの内部における頭部１８の内端面と貫通孔１１の段差部１１ｄとの間に形成される気密空間２３内の空気を圧縮するように構成されている。
【００３６】
また、この第２押釦８は、図３（ｂ）に示すように、頭部１８が第２ばね部材２２のばね力に抗して押された際に、複数の第１防水リング２０が貫通孔１１の小径孔部１１ａの内周面に圧接して摺動しながら、軸部１７が小径孔部１１ａ内を第１押釦７の操作ストロークＳ１よりも短い長さの操作ストロークＳ２でスライドし、この軸部１７の内端部が時計モジュール５の接点板５ｂを押圧してメークし、スイッチオン状態にするように構成されている。
【００３７】
この場合、第２押釦８は、時計モジュール５の接点板５ｂを押圧してメークさせてスイッチオン状態になると、照明部（図示せず）を予め定められた時間、例えば数秒間だけ点灯させるように構成されている。また、この第２押釦８は、時計モジュール５の接点板５ｂを押圧してメークさせ続けている間、複数の第１押釦７が時計モジュール５の各接点板５ａを押圧してメークさせても、時計モジュール５の機能が動作しないように、時計モジュール５の機能を回路的にロックするように構成されている。
【００３８】
次に、このような腕時計におけるスイッチ装置６の作用について説明する。
この腕時計を腕に取り付けた通常の状態で、スイッチ装置６の複数の第１押釦７をそれぞれ押圧操作（スイッチ動作）した場合には、その押圧操作に応じて時計モジュール５の各接点板５ａがそれぞれ押圧されメークし、モード切替、時刻修正、アラーム設定などの時計機能が実行される。また、この状態で、第２押釦８を押圧操作した場合には、時計モジュール５の接点板５ｂが押圧されメークし、照明部（図示せず）が予め定められた時間、例えば数秒間だけ点灯する。
【００３９】
すなわち、第１押釦７の頭部１３が第１ばね部材１６のばね力に抗して押圧操作されると、図２（ｂ）に示すように、第１ばね部材１６が圧縮されて頭部１３の座ぐり部１３ａ内に収納されながら、頭部１３が貫通孔１１の大径孔部１１ｂ内に押し込まれると共に、軸部１２が腕時計ケース１の内部に向けてスライドする。
【００４０】
このときには、軸部１２のスライドに伴って複数の防水リング１５が貫通孔１１の小径孔部１１ａの内周面に圧接しながら摺動することにより、貫通孔１１の小径孔部１１ａの防水を図りながら、第１押釦７の軸部１２の内端部が腕時計ケース１内に突出する。これにより、軸部１２の内端部が時計モジュール５の接点板５ａを押圧してメークさせ、モード切替、時刻修正、アラーム設定などのいずれかの時計機能を実行させる。
【００４１】
そして、第１押釦７に対する押圧操作が解除されると、図２（ａ）に示すように、頭部１３が第１ばね部材１６のばね力によって腕時計ケース１の外部に向けて押し出される。これにより、軸部１２の内端部が腕時計ケース１内の時計モジュール５に設けられた接点板５ａから離れ、軸部１２の内端部に取り付けられた抜止め部材１４が腕時計ケース１の内面に当接し、第１押釦７が初期位置に戻る。
【００４２】
一方、第２押釦８の頭部１８が第２ばね部材２２のばね力に抗して押圧操作されると、図３（ｂ）に示すように、第２ばね部材２２が圧縮されて頭部１８の座ぐり部１８ａ内に収納されながら、頭部１８が貫通孔１１の大径孔部１１ｃ内に押し込まれると共に、軸部１７が腕時計ケース１の内部に向けてスライドする。
【００４３】
このときには、第２防水リング２１が貫通孔１１の大径孔部１１ｃの内周面に圧接して摺動すると共に、軸部１７のスライドに伴って複数の第１防水リング２０が貫通孔１１の小径孔部１１ａの内周面に圧接しながら摺動する。このため、大径孔部１１ｃの内部における頭部１８の内端面と貫通孔１１の段差部１１ｄとの間に位置する気密空間２３内の空気が圧縮される。
【００４４】
このときには、第２ばね部材２２のばね力が第１ばね部材１６のばね力よりも弱いので、第２押釦８は、気密空間２３内の空気の圧縮力を考慮しても、頭部１８を押圧して押し込む際の押圧力が、第１押釦７の押圧力とほぼ同じなる。これにより、第２押釦８は、複数の第１押釦７よりも早くメークする。
【００４５】
また、このときには、第２押釦８の操作ストロークＳ２が第１押釦７の操作ストロークＳ１よりも短いので、複数の第１押釦７よりも早くメークする。これにより、第２押釦８の軸部１７の内端部が時計モジュール５の接点板５ｂを押圧してメークさせると、照明部（図示せず）が予め定められた時間、例えば数秒間だけ点灯する。
【００４６】
そして、第２押釦８に対する押圧操作が解除されると、図３（ａ）に示すように、第２ばね部材２２のばね力と気密空間２３内の圧縮された空気の膨張力とによって、頭部１８が腕時計ケース１の外部に向けて押し出される。これにより、軸部１７の内端部が腕時計ケース１内の時計モジュール５に設けられた接点板５ｂから離れ、軸部１７の内端部に取り付けられた抜止め部材１４が腕時計ケース１の内面に当接し、第２押釦８が初期位置に戻る。
【００４７】
ところで、この腕時計を腕に取り付けて水中に潜ったり、あるいは腕時計を誤って水中に落としたりした場合には、第２押釦８が複数の第１押釦７よりも早くスイッチ動作して時計モジュール５の接点板５ｂを押圧してメークさせ、複数の第１押釦７によって時計モジュール５の各接点板５ａが押圧されメークされても、時計モジュール５の機能が動作しないように、時計モジュール５の機能を回路的にロックし、時計モジュール５の誤動作を防ぐ。
【００４８】
すなわち、この腕時計のスイッチ装置６に水中の水圧が加わった際には、複数の第１押釦７は、その頭部１３の外周面と貫通孔１１の大径孔部１１ｂの内周面との間の隙間から水が、大径孔部１１ｂの内部における頭部１３の内端面と貫通孔１１の段差部１１ｄとの間の空間に浸入する。このため、浸入した水圧によって第１押釦７の頭部１３が外部に向けて押されるので、第１押釦７が速やかに押し込まれることがなく、時計モジュール５の接点板５ａが速やかに押圧されメークすることがない。
【００４９】
一方、第２押釦８は、水圧が加わると、その水圧に応じて頭部１８が押し込まれる。すなわち、この第２押釦８は、その頭部１８の外周面と貫通孔１１の大径孔部１１ｃの内周面との間に第２防水リング２１が設けられているため、水が大径孔部１１ｃの内部における頭部１８の内端面と貫通孔１１の段差部１１ｄとの間に位置する気密空間２３内に浸入することがない。
【００５０】
このため、頭部１８に水圧が加わると、この水圧に応じて頭部１８が気密空間２３内の空気を圧縮しながら第２ばね部材２２のばね力に抗して押し込まれる。これにより、第２押釦８が複数の第１押釦７よりも早くスイッチ動作して時計モジュール５の接点板５ｂを押圧してメークする。この場合、第２ばね部材２２は、そのばね力が第１押釦７の第１ばね部材１６のばね力よりも弱いので、気密空間２３内の空気を圧縮しても、第２押釦８が複数の第１押釦７よりも早くスイッチ動作する。
【００５１】
また、このときには、第２押釦８の頭部１８の外径Ｒ２が第１押釦７の頭部１３の外径Ｒ１よりも大きく形成されていることにより、第２押釦８の頭部１８の表面積が第１押釦７の頭部１３の表面積よりも大きいので、これによっても第２押釦８が複数の第１押釦７よりも早くスイッチ動作する。さらに、このときには、第２押釦８の操作ストロークＳ２が第１押釦７の操作ストロークＳ１よりも短いので、これによっても第２押釦８が複数の第１押釦７よりも早くスイッチ動作する。
【００５２】
このようにして、第２押釦８によって時計モジュール５の接点板５ｂが押圧されメークすると、照明部（図示せず）が予め定められた時間、例えば数秒間だけ点灯する。また、このときには、時計モジュール５の接点板５ｂが押圧されメークされ続ける。このため、複数の第１押釦７によって時計モジュール５の各接点板５ａが押圧されメークされても、時計モジュール５の機能が動作しないように、時計モジュール５の機能が回路的にロックされ、時計モジュール５の誤動作を防ぐ。
【００５３】
このような腕時計のスイッチ装置６は、水中に限らず、気圧の高い所でも、上述した場合と同様に動作して、同じ機能を果たす。
【００５４】
このように、この腕時計のスイッチ装置６によれば、腕時計ケース１に設けられてスイッチ操作によってスイッチ動作する複数の第１押釦７と、腕時計ケース１に設けられてスイッチ操作によってスイッチ動作すると共に、水圧や気圧などの外部環境による圧力が加わった際に、複数の第１押釦７よりも早くスイッチ動作する第２押釦８と、を備えているので、特殊なセンサを用いずに、簡単な構造で誤動作を確実に防ぐことができる。
【００５５】
すなわち、このスイッチ装置６では、水圧や気圧などの外部環境による圧力が加わった際に、第２押釦８を複数の第１押釦７よりも早くスイッチ動作させることができるので、この第２押釦８のスイッチ動作によって複数の第１押釦７がスイッチ動作しても、複数の第１押釦７のスイッチ機能を動作させずに、時計モジュール５の機能を回路的にロックすることができる。
【００５６】
このため、このスイッチ装置６では、圧力センサや気圧センサなどの特殊なセンサを用いずに、第２押釦８を複数の第１押釦７よりも早くスイッチ動作させるだけの簡単な構造で、時計モジュール５の誤動作を確実に防ぐことができると共に、誤動作による電力消費を最小限に抑えることができる。
【００５７】
この場合、スイッチ装置６は、複数の第１押釦７が、モード切替、時刻修正、アラーム設定などの時計機能の設定および実行するためのスイッチであり、第２押釦８が、スイッチ操作によって照明部（図示せず）を予め定められた時間、例えば数秒間だけ点灯させると共に、押され続けている間、時計モジュール５の機能を動作させずに回路的にロックさせるためのスイッチであることにより、通常の状態では、複数の第１押釦７によってモード切替、時刻修正、アラーム設定などの時計機能を良好に設定することができ、また第２押釦８によって照明部を良好に点灯させることができる。
【００５８】
また、このスイッチ装置６では、水圧や気圧などの外部環境による圧力が加わって第２押釦８が複数の第１押釦７よりも早く時計モジュール５の接点板５ｂを押圧してメークさせた際に、照明部を予め定められた時間だけ点灯させると共に、時計モジュール５の接点板５ｂが押圧されメークし続けられている間、複数の第１押釦７によって時計モジュール５の各接点板５ａが押圧されメークされても、時計モジュール５の機能を動作させずに回路的にロックさせて、時計モジュール５の誤動作を確実に防ぐことができる。
【００５９】
また、このスイッチ装置６の第１押釦７は、腕時計ケース１に設けられた貫通孔１１の小径孔部１１ａに防水リング１５を介してスライド可能に挿入する軸部１２と、この軸部１２の外端部に設けられて貫通孔１１の大径孔部１１ｂにスライド可能に配置され、かつ腕時計ケース１の外部に露出する頭部１３とを有している構成であるから、水圧や気圧などの外部環境による圧力が加わっても、第１押釦７が速やかに押し込まれないようにすることができる。
【００６０】
すなわち、この第１押釦７は、水圧や気圧などの外部環境による圧力が加わった際に、頭部１３の外周面と貫通孔１１の大径孔部１１ｂの内周面との間の隙間から水や空気が、大径孔部１１ｂの内部における頭部１３の内端面と貫通孔１１の段差部１１ｄとの間の空間に浸入し、この浸入した水や空気によって第１押釦７の頭部１３がその外部に向けて押されるため、第１押釦７が速やかに押し込まれないようにすることができる。
【００６１】
また、第２押釦８は、腕時計ケース１に設けられた貫通孔１１の小径孔部１１ａに第１防水リング２０を介してスライド可能に挿入する軸部１７と、この軸部１７の外端部に設けられて貫通孔１１の大径孔部１１ｃに第２防水リング２１を介してスライド可能に配置され、かつ腕時計ケース１の外部に露出する頭部１８とを有している構成であるから、水圧や気圧などの外部環境による圧力が加わった際に、複数の第１押釦７よりも早くスイッチ動作させることができる。
【００６２】
すなわち、この第２押釦８は、水圧や気圧などの外部環境による圧力が加わった際に、頭部１８の外周面と貫通孔１１の大径孔部１１ｃの内周面との間に設けられた第２防水リング２１によって、水や空気が大径孔部１１ｃの内部における頭部１８の内端面と貫通孔１１の段差部１１ｄとの間に位置する気密空間２３内に浸入することがない。このため、外部環境による圧力に応じて頭部１８が気密空間２３内の空気を圧縮させるので、第２押釦８を複数の第１押釦７よりも早くスイッチ動作させることができる。
【００６３】
これにより、第２押釦８は、複数の第１押釦７よりも早く時計モジュール５の接点板５ｂを押圧してメークさせることができると共に、時計モジュール５の接点板５ｂを押圧してメークし続けることができるので、複数の第１押釦７によって時計モジュール５の各接点板５ａが押圧されメークされても、時計モジュール５の機能を動作させずに回路的にロックさせて、時計モジュール５の誤動作を防ぐことができる。
【００６４】
また、このスイッチ装置６では、第１押釦７がその頭部１３を腕時計ケース１の外部に向けて付勢する第１ばね部材１６を備え、第２押釦８がその頭部１８を腕時計ケース１の外部に向けて付勢する第２ばね部材２２を備えていることにより、第１ばね部材１６によって第１押釦７を円滑かつ良好にスイッチ操作させることができると共に、第２ばね部材２２によって第２押釦８を円滑かつ良好にスイッチ操作させることができる。
【００６５】
この場合、第２押釦８の第２ばね部材２２は、そのばね力が複数の第１押釦７の第１ばね部材１６のばね力よりも弱く設定されていることにより、通常状態で第２押釦８を第２ばね部材２２のばね力に抗して押圧操作する際に、気密空間２３内の空気を圧縮させても、第２押釦８の押圧力を複数の第１押釦７の各押圧力とほぼ同じ強さにすることができると共に、水圧や気圧などの外部環境による圧力が加わった際に、気密空間２３内の空気を圧縮させても、第２押釦８を複数の第１押釦７よりも早くスイッチ動作させることができる。
【００６６】
また、このスイッチ装置６では、第２押釦８の頭部１８の外径Ｒ２が複数の第１押釦７における各頭部１３の各外径Ｒ１よりも大きく形成されていることにより、第２押釦８の頭部１８の表面積を複数の第１押釦７における各頭部１３の各表面積よりも大きくすることができ、これにより水圧や気圧などの外部環境による外圧が加わった際に、気密空間２３内の空気を圧縮させても、第２押釦８を複数の第１押釦７よりも早くスイッチ動作させることができる。
【００６７】
さらに、このスイッチ装置６では、第２押釦８の操作ストロークＳ２が複数の第１押釦７の各操作ストロークＳ１よりも短く設定されることにより、水圧や気圧などの外部環境による外圧が加わった際に、気密空間２３内の空気を圧縮させても、第２押釦８を複数の第１押釦７よりも早くスイッチ動作させることができる。
【００６８】
なお、上述した実施形態では、第２押釦８の第２ばね部材２２のばね力を複数の第１押釦７における各第１ばね部材１６のばね力よりも弱く設定した場合について述べたが、必ずしも第２ばね部材２２のばね力を第１ばね部材１６のばね力よりも弱く設定する必要はなく、例えば第２ばね部材２２のばね力を第１ばね部材１６のばね力とほぼ同じ強さに設定しても良い。
【００６９】
また、上述した実施形態では、第２押釦８の頭部１８の表面積を複数の第１押釦７における各頭部１３の各表面積よりも大きく形成した場合について述べたが、必ずしも第２押釦８の頭部１８の表面積を複数の第１押釦７における各頭部１３の各表面積よりも大きく形成する必要はなく、第２押釦８の頭部１８の表面積を複数の第１押釦７における各頭部１３の各表面積とほぼ同じ大きさに形成しても良い。
【００７０】
また、上述した実施形態では、第２押釦８の操作ストロークＳ２を複数の第１押釦７の各操作ストロークＳ１よりも短く設定した場合について述べたが、必ずしも第２押釦８の操作ストロークＳ２を複数の第１押釦７の各操作ストロークＳ１よりも短く設定する必要はなく、例えば第２押釦８の操作ストロークＳ２を複数の第１押釦７の各操作ストロークＳ１とほぼ同じ長さに設定しても良い。
【００７１】
さらに、上述した実施形態では、腕時計に適用した場合について述べたが、必ずしも腕時計である必要はなく、例えば携帯電話機や携帯端末機などのスイッチ装置にも適用することができる。
【００７２】
以上、この発明の一実施形態について説明したが、この発明は、これに限られるものではなく、特許請求の範囲に記載された発明とその均等の範囲を含むものである。
以下に、本願の特許請求の範囲に記載された発明を付記する。
【００７３】
（付記）
請求項１に記載の発明は、機器ケースに設けられてスイッチ操作によってスイッチ動作する第１押釦と、前記機器ケースに設けられてスイッチ操作によってスイッチ動作すると共に、外部環境による圧力が加わった際に、前記第１押釦よりも早くスイッチ動作する第２押釦と、を備えていることを特徴とするスイッチ装置である。
【００７４】
請求項２に記載の発明は、請求項１に記載のスイッチ装置において、前記第１押釦は、機器機能の設定および実行するためのスイッチであり、前記第２押釦は、スイッチ操作によって照明部を予め定められた時間だけ点灯させると共に、押され続けている間、前記機器機能を動作させないスイッチであることを特徴とするスイッチ装置である。
【００７５】
請求項３に記載の発明は、請求項１または請求項２に記載のスイッチ装置において、前記第１押釦は、前記機器ケースに設けられた貫通孔の小径孔部に防水リングを介してスライド可能に挿入する軸部と、この軸部に設けられて前記貫通孔の大径孔部にスライド可能に配置され、かつ前記機器ケースの外部に露出する頭部とを有しており、前記第２押釦は、前記機器ケースに設けられた貫通孔の小径孔部に第１防水リングを介してスライド可能に挿入する軸部と、この軸部に設けられて前記貫通孔の大径孔部に第２防水リングを介してスライド可能に配置され、かつ前記機器ケースの外部に露出する頭部とを有していることを特徴とするスイッチ装置である。
【００７６】
請求項４に記載の発明は、請求項３に記載のスイッチ装置において、前記第１押釦は、前記頭部を前記機器ケースの外部に向けて付勢する第１付勢部材を備えており、前記第２押釦は、前記頭部を前記機器ケースの外部に向けて付勢する第２付勢部材を備えていることを特徴とするスイッチ装置である。
【００７７】
請求項５に記載の発明は、請求項４に記載のスイッチ装置において、前記第２押釦の前記第２付勢部材は、その付勢力が前記第１押釦の前記各第１付勢部材の各付勢力よりも弱く設定されていることを特徴とするスイッチ装置である。
【００７８】
請求項６に記載の発明は、請求項３〜請求項５のいずれかに記載のスイッチ装置において、前記第２押釦の前記頭部は、その表面積が前記第１押釦における前記各頭部の各表面積よりも大きく形成されていることを特徴とするスイッチ装置である。
【００７９】
請求項７に記載の発明は、請求項３〜請求項６のいずれかに記載のスイッチ装置において、前記第２押釦は、その操作ストロークが前記第１押釦の各操作ストロークよりも短く設定されていることを特徴とするスイッチ装置である。
【００８０】
請求項８に記載の発明は、請求項１〜請求項７のいずれかに記載されたスイッチ装置を備えていることを特徴とする腕時計である。
【符号の説明】
【００８１】
１  腕時計ケース
５  時計モジュール
６  スイッチ装置
７  第１押釦
８  第２押釦
１１  貫通孔
１１ａ  小径孔部
１１ｂ、１１ｃ  大径孔部
１２、１７  軸部
１３、１８  頭部
１５  防水リング
１６  第１ばね部材
２０  第１防水リング
２１  第２防水リング
２２  第２ばね部材
２３  気密空間
【図１】
2015053176.tif 000003
【図２】
2015053176.tif 000004
【図３】
2015053176.tif 000005